(57)【要約】【課題】電極端子と電極体との接続を容易にする蓄電素子及び蓄電装置を提供する。【解決手段】蓄電素子は、積層された極板を含む電極体と、前記電極体の端部の周りを囲み且つ導電性を有する周囲壁を含む容器とを備え、前記端部は、前記極板の縁部分を束ねて形成された少なくとも２つの束部分を含み、前記周囲壁は、第一壁部と、前記束部分における前記極板の積層方向で前記第一壁部と対向する第二壁部とを含み、前記第一壁部及び前記第二壁部の内側表面にはそれぞれ、少なくとも１つの前記束部分が接続される。【選択図】図３
2018081772.tif 000002
【特許請求の範囲】
【請求項１】
積層された極板を含む電極体と、
前記電極体の端部の周りを囲み且つ導電性を有する周囲壁を含む容器と
を備え、
前記端部は、前記極板の縁部分を束ねて形成された少なくとも２つの束部分を含み、
前記周囲壁は、第一壁部と、前記束部分における前記極板の積層方向で前記第一壁部と対向する第二壁部とを含み、
前記第一壁部及び前記第二壁部の内側表面にはそれぞれ、少なくとも１つの前記束部分が接続される
蓄電素子。
【請求項２】
極板を巻回して形成された電極体と、
前記電極体の端部の周りを囲み且つ導電性を有する周囲壁を含む容器と
を備え、
前記端部は、前記極板の縁部分を束ねて形成された少なくとも１つの束部分を含み、
前記周囲壁は、第一壁部と、前記束部分における前記極板の積層方向で前記第一壁部と対向する第二壁部とを含み、
前記少なくとも１つの束部分は、前記第一壁部及び前記第二壁部の内側表面の少なくとも一方に接続される
蓄電素子。
【請求項３】
前記束部分は、溶接又は機械的接合によって、前記第一壁部及び前記第二壁部の一方と直接的に接合される
請求項１又は２に記載の蓄電素子。
【請求項４】
前記極板は、基材と、前記基材上に形成された活物質層とを含み、
前記束部分は、前記極板における前記基材の直線状に延在する縁に沿った前記活物質層の非形成部分である活物質層非形成部を束ねることによって、形成される
請求項１〜３のいずれか一項に記載の蓄電素子。
【請求項５】
前記周囲壁は、前記第一壁部と前記第二壁部とを接続する第三壁部及び第四壁部を含み、
前記第一壁部及び前記第二壁部における前記周囲壁の外周方向の寸法は、前記第三壁部及び前記第四壁部における前記周囲壁の外周方向の寸法よりも大きい
請求項１〜４のいずれか一項に記載の蓄電素子。
【請求項６】
前記容器は、前記周囲壁の端部を閉じる端壁を有する
請求項１〜５のいずれか一項に記載の蓄電素子。
【請求項７】
前記周囲壁は、前記電極体を部分的に覆う
請求項１〜６のいずれか一項に記載の蓄電素子。
【請求項８】
前記周囲壁は、第一周囲壁及び第二周囲壁を含み、
前記電極体は、
前記極板として、互いに積層された正極板及び負極板を含み、
前記端部としての第一端部に、前記正極板の前記束部分を含み、
前記第一端部と反対側の第二端部に、前記負極板の前記束部分を含み、
前記第一周囲壁は、前記第一端部に配置され且つ前記正極板の前記束部分と接続され、
前記第二周囲壁は、前記第二端部に配置され且つ前記負極板の前記束部分と接続される
請求項１〜７のいずれか一項に記載の蓄電素子。
【請求項９】
請求項１〜８のいずれか一項に記載の複数の前記蓄電素子を含み、
前記複数の蓄電素子が、前記周囲壁を互いに接触させて配置される
蓄電装置。
【発明の詳細な説明】
【技術分野】
【０００１】
本開示は、電極体を備える蓄電素子及び蓄電素子を備える蓄電装置に関する。
【背景技術】
【０００２】
リチウムイオン二次電池等の蓄電素子には、正極板と負極板とが重ねられて形成される電極体を備えるものがある。例えば、特許文献１には、正極板と負極板とがセパレータを介して巻回して構成される極板群を電極体として備える二次電池が開示されている。特許文献１に記載される二次電池では、極板群を収容するケースの底面と、ケースの封口板とのそれぞれに、極板群の両端面、つまり負極端面と正極端面とが溶接にて直接接続されている。
【先行技術文献】
【特許文献】
【０００３】
【特許文献１】特開２００３−３１７６９７号公報
【発明の概要】
【発明が解決しようとする課題】
【０００４】
特許文献１に記載される二次電池では、封口板及びケースの底面のそれぞれに、これらから外方へ突出する接続突部が形成されている。そして、複数の二次電池が、接続突部同士を接触させて組電池を形成する。つまり、接続突部が二次電池の電極端子を構成している。極板群の正極端面及び負極端面ではそれぞれ、正極板及び負極板の縁端が多重の渦巻き状に延びている。このため、正極板及び負極板はそれぞれ、封口板及びケースの底面に対して垂直に延び、線接触する。よって、正極板及び負極板はそれぞれ、封口板及びケースの底面に容易に溶接接合できない可能性がある。
【０００５】
本開示は、上述のような問題を解決するためになされたものであり、電極端子と電極体との接続を容易にする蓄電素子及び蓄電素子を備える蓄電装置を提供する。
【課題を解決するための手段】
【０００６】
本開示の一態様に係る蓄電素子は、積層された極板を含む電極体と、前記電極体の端部の周りを囲み且つ導電性を有する周囲壁を含む容器とを備え、前記端部は、前記極板の縁部分を束ねて形成された少なくとも２つの束部分を含み、前記周囲壁は、第一壁部と、前記束部分における前記極板の積層方向で前記第一壁部と対向する第二壁部とを含み、前記第一壁部及び前記第二壁部の内側表面にはそれぞれ、少なくとも１つの前記束部分が接続される。
【０００７】
本開示の別の一態様に係る蓄電素子は、極板を巻回して形成された電極体と、前記電極体の端部の周りを囲み且つ導電性を有する周囲壁を含む容器とを備え、前記端部は、前記極板の縁部分を束ねて形成された少なくとも１つの束部分を含み、前記周囲壁は、第一壁部と、前記束部分における前記極板の積層方向で前記第一壁部と対向する第二壁部とを含み、前記少なくとも１つの束部分は、前記第一壁部及び前記第二壁部の内側表面の少なくとも一方に接続される。
【０００８】
本開示の一態様に係る蓄電装置は、複数の前記蓄電素子を含み、前記複数の蓄電素子が、前記周囲壁を互いに接触させて配置される。
【発明の効果】
【０００９】
本開示に係る蓄電素子等によれば、電極端子の構造を簡易化しつつ電極端子と電極体との接続を容易にすることが可能になる。
【図面の簡単な説明】
【００１０】
【図１】図１は、実施の形態に係る蓄電素子の外観を模式的に示す斜視図である。
【図２】図２は、図１の蓄電素子の分解斜視図である。
【図３】図３は、図１の蓄電素子の第二容器部を端壁に沿う面で切断した断面を、方向ＩＩＩで見た断面図である。
【図４】図４は、実施の形態に係る蓄電素子を備える蓄電装置を概略的に示す斜視図である。
【図５】図５は、実施の形態の変形例１に係る蓄電素子を図２と同様に示す分解斜視図である。
【図６】図６は、変形例１に係る蓄電素子を図３と同様に示す断面図である。
【図７】図７は、実施の形態の変形例２に係る蓄電素子を図２と同様に示す分解斜視図である。
【図８】図８は、変形例２に係る蓄電素子の断面側面図であり、第一容器部の長壁部に垂直であり且つ負極端子を通る蓄電素子の断面を、負極端子から正極端子に向かう方向で見た図である。
【発明を実施するための形態】
【００１１】
まず、本開示の一態様に係る蓄電素子は、積層された極板を含む電極体と、前記電極体の端部の周りを囲み且つ導電性を有する周囲壁を含む容器とを備え、前記端部は、前記極板の縁部分を束ねて形成された少なくとも２つの束部分を含み、前記周囲壁は、第一壁部と、前記束部分における前記極板の積層方向で前記第一壁部と対向する第二壁部とを含み、前記第一壁部及び前記第二壁部の内側表面にはそれぞれ、少なくとも１つの前記束部分が接続される。
【００１２】
また、本開示の別の一態様に係る蓄電素子は、極板を巻回して形成された電極体と、前記電極体の端部の周りを囲み且つ導電性を有する周囲壁を含む容器とを備え、前記端部は、前記極板の縁部分を束ねて形成された少なくとも１つの束部分を含み、前記周囲壁は、第一壁部と、前記束部分における前記極板の積層方向で前記第一壁部と対向する第二壁部とを含み、前記少なくとも１つの束部分は、前記第一壁部及び前記第二壁部の内側表面の少なくとも一方に接続される。
【００１３】
蓄電素子では、前記束部分は、溶接又は機械的接合によって、前記第一壁部及び前記第二壁部の一方と直接的に接合されてもよい。
また、蓄電素子では、前記極板は、基材と、前記基材上に形成された活物質層とを含み、前記束部分は、前記極板における前記基材の直線状に延在する縁に沿った前記活物質層の非形成部分である活物質層非形成部を束ねることによって、形成されてもよい。
蓄電素子では、前記周囲壁は、前記第一壁部と前記第二壁部とを接続する第三壁部及び第四壁部を含み、前記第一壁部及び前記第二壁部における前記周囲壁の外周方向の寸法は、前記第三壁部及び前記第四壁部における前記周囲壁の外周方向の寸法よりも大きくてもよい。
蓄電素子では、前記容器は、前記周囲壁の端部を閉じる端壁を有してもよい。
蓄電素子では、前記周囲壁は、前記電極体を部分的に覆ってもよい。
【００１４】
蓄電素子では、前記周囲壁は、第一周囲壁及び第二周囲壁を含み、前記電極体は、前記極板として、互いに積層された正極板及び負極板を含み、前記端部としての第一端部に、前記正極板の前記束部分を含み、前記第一端部と反対側の第二端部に、前記負極板の前記束部分を含み、前記第一周囲壁は、前記第一端部に配置され且つ前記正極板の前記束部分と接続され、前記第二周囲壁は、前記第二端部に配置され且つ前記負極板の前記束部分と接続されてもよい。
【００１５】
本開示の一態様に係る蓄電装置は、複数の前記蓄電素子を含み、前記複数の蓄電素子が、前記周囲壁を互いに接触させて配置される。
【００１６】
次いで、以下において、図面を参照しつつ、本開示の実施の形態に係る蓄電素子及び蓄電装置について説明する。なお、以下で説明する実施の形態は、いずれも本開示の好ましい一具体例を示すものである。以下の実施の形態で示される数値、形状、材料、構成要素、並びに構成要素の配置位置及び接続形態等は、一例であり、本開示を限定する主旨ではない。また、以下の実施の形態における構成要素のうち、最上位概念を示す独立請求項に記載されていない構成要素については、任意の構成要素として説明される。
【００１７】
また、添付の図面における各図は、模式的な図であり、必ずしも厳密に図示されたものでない。さらに、各図において、同一又は同様な構成要素については同じ符号を付している。また、以下の実施の形態の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００１８】
［実施の形態］
実施の形態に係る蓄電素子１００の構成を説明する。図１は、実施の形態に係る蓄電素子１００の外観を模式的に示す斜視図である。図１に示されるように、蓄電素子１００は、扁平な直方体状の外形を有している。蓄電素子１００は、充放電可能な二次電池である。例えば、蓄電素子１００は、リチウムイオン二次電池等の非水電解質二次電池である。しかしながら、蓄電素子１００は、非水電解質二次電池に限定されず、使用者が充電をしなくても蓄えられている電気を使用できる一次電池であってもよく、非水電解質二次電池以外の二次電池であってもよく、キャパシタであってもよい。
【００１９】
図２は、図１の蓄電素子１００の分解斜視図である。図１及び図２を参照すると、蓄電素子１００は、扁平な直方体状の容器１０と、容器１０の中に収容される電極体２０とを備えている。容器１０は、矩形筒状の第一容器部１１と、有底矩形筒状の第二容器部１２及び第三容器部１３とを備えている。第二容器部１２及び第三容器部１３はそれぞれ、第一容器部１１の軸方向の端部１１ａ及び１１ｂそれぞれの細長な矩形状の開口を塞ぐように構成されている。
【００２０】
第二容器部１２は、矩形筒状の周囲壁１２１と、周囲壁１２１の軸方向の一方の端部の開口を塞ぎ且つ底部を構成する矩形板状の端壁１２２とを有している。第三容器部１３は、矩形筒状の周囲壁１３１と、周囲壁１３１の軸方向の一方の端部の開口を塞ぎ且つ底部を構成する矩形板状の端壁１３２とを有している。本実施の形態では、周囲壁１２１及び１３１はそれぞれ、端壁１２２及び１３２と別個の部材を形成するが、端壁１２２及び１３２と一体的に形成され、連続する１つの部材を形成してもよい。第二容器部１２及び第三容器部１３はそれぞれ、周囲壁１２１及び１３１によって、端部１１ａ及び１１ｂの近傍で第一容器部１１の外周全体を外側から覆うように、第一容器部１１に組み付けられる。
【００２１】
第一容器部１１は、いかなる材料で構成されてもよく、剛性を有していても有していなくてもよい。第一容器部１１は、ポリプロピレン（ＰＰ）、ポリエチレン（ＰＥ）、ポリイミド、ポリフッ化ビニリデン（ＰＶＤＦ）などの樹脂等の電気的な絶縁性を有する材料で構成されてもよい。第一容器部１１は、金属等の導電性を有する材料で構成されてもよい。この場合、第一容器部１１と第二容器部１２及び第三容器部１３との間に、電気的な絶縁材が設けられていてもよい。また、第一容器部１１の全てが、電気的な絶縁性を有する材料又は導電性を有する材料で構成されていなくてもよい。例えば、第一容器部１１は、金属等の導電性を有する材料を樹脂等でコーティングした材料で構成されてもよい。具体的には、例えば、アルミニウム等の金属層をＰＥ又はＰＰ等の樹脂層で挟んだ多層構造のパウチ（ラミネート）が、第一容器部１１の構成材として挙げられる。
【００２２】
本実施の形態では、第二容器部１２及び第三容器部１３は、導電性を有し、蓄電素子１００の電極端子を兼ねる。具体的には、第二容器部１２は、蓄電素子１００の正極端子を兼ね、第三容器部１３は、蓄電素子１００の負極端子を兼ねる。第二容器部１２及び第三容器部１３は、導電性を有する材料で作製され、例えば、ステンレス鋼、アルミニウム、アルミニウム合金、銅、銅合金、ニッケルメッキ鉄等の金属で作製され得る。
【００２３】
電極体２０は、電気を蓄積可能な蓄電要素である。電極体２０は、正極側の極板である正極板と、負極側の極板である負極板と、正極板及び負極板の間に介在するシート状のセパレータとを備える。本実施の形態では、電極体２０は、複数の正極板、複数の負極板及び複数のセパレータが多重に積層される積層型電極体である。
【００２４】
本実施の形態では、電極体２０は、扁平な直方体状の外形を有しているが、電極体２０の形状はいかなる形状であってもよい。電極体２０は、正極板、負極板及びセパレータの積層方向Ａを、第一容器部１１の軸方向と略垂直にして、第一容器部１１内に収容される。なお、第一容器部１１の軸方向は、第二容器部１２から第三容器部１３に向かう方向でもある。電極体２０は、第一容器部１１の４つの壁部１１ｃ、１１ｄ、１１ｅ及び１１ｆのうちの幅広の壁部である２つの長壁部１１ｄ及び１１ｆに、正極板、負極板及びセパレータが向きあうように、第一容器部１１内に収容される。なお、第一容器部１１は、その外周方向で幅広である２つの対向する長壁部１１ｄ及び１１ｆと、その外周方向で幅狭である２つの対向する短壁部１１ｃ及び１１ｅとを一体的に有している。短壁部１１ｃ及び１１ｅは、長壁部１１ｄ及び１１ｆの端部同士を接続する。
【００２５】
正極板は、アルミニウム、アルミニウム合金等の金属からなる集電箔である矩形状の正極基材と、正極基材上に形成された正極活物質層とを含む。負極板は、銅、銅合金等の金属からなる集電箔である矩形状の負極基材と、負極基材上に形成された負極活物質層とを含む。正極活物質層又は負極活物質層の構成材料として、リチウムイオンを吸蔵放出可能な正極活物質又は負極活物質であれば、適宜公知の材料を使用できる。セパレータは、樹脂等の電気的な絶縁性を有する材料からなる微多孔性のシートである。
【００２６】
電極体２０において、複数の正極板は、第二容器部１２側の電極体２０の端部２０ａで、複数の負極板よりも突出して配置されている。複数の正極板の突出する部分は、正極活物質層非形成部２１を形成する。正極活物質層非形成部２１では、正極基材に正極活物質層が形成されず、正極基材の直線状の縁に沿って帯状に露出した正極基材のみが積層している。複数の負極板は、第三容器部１３側の電極体２０の端部２０ｂで、複数の正極板よりも突出して配置されている。複数の負極板の突出する部分は、負極活物質層非形成部２２を形成する。負極活物質層非形成部２２では、負極基材に負極活物質層が形成されず、負極基材の直線状の縁に沿って帯状に露出した負極基材のみが積層している。正極活物質層非形成部２１及び負極活物質層非形成部２２はそれぞれ、正極板の縁部分及び負極板の縁部分を構成する。端部２０ａ及び２０ｂは、第一端部及び第二端部の一例である。
【００２７】
容器１０内に収容された電極体２０では、正極活物質層非形成部２１及び負極活物質層非形成部２２がそれぞれ、第一容器部１１の端部１１ａ及び１１ｂから突出し、第二容器部１２及び第三容器部１３によって覆われる。具体的には、第二容器部１２の周囲壁１２１は、正極活物質層非形成部２１の外周を囲む。上記正極活物質層非形成部２１の外周は、正極活物質層非形成部２１が負極板よりも突出する方向と垂直な方向に沿った外周である。第三容器部１３の周囲壁１３１は、負極活物質層非形成部２２の外周を囲む。上記負極活物質層非形成部２２の外周は、負極活物質層非形成部２２が正極板よりも突出する方向と垂直な方向に沿った外周である。このように、第二容器部１２及び第三容器部１３は、電極体２０を部分的に覆っている。そして、正極活物質層非形成部２１は、第二容器部１２と接続され、負極活物質層非形成部２２は、第三容器部１３と接続される。
【００２８】
図２及び図３を参照して、正極活物質層非形成部２１と第二容器部１２との接続構成を説明する。なお、図３は、図１の蓄電素子１００の第二容器部１２を端壁１２２に沿う面で切断した断面を、方向ＩＩＩで見た断面図である。また、負極活物質層非形成部２２と第三容器部１３との接続構成は、正極活物質層非形成部２１と第二容器部１２との接続構成と同様であるため、その詳細な説明を省略する。
【００２９】
第二容器部１２の周囲壁１２１は、第一容器部１１と同様に、その外周方向で幅広である２つの対向する長壁部１２１ｂ及び１２１ｄと、その外周方向で幅狭である２つの対向する短壁部１２１ａ及び１２１ｃとを一体的に有している。すなわち、周囲壁１２１は、端壁１２２側から見たときに、長壁部１２１ｂ及び１２１ｄと、長壁部１２１ｂ及び１２１ｄよりも長さが短い短壁部１２１ａ及び１２１ｃとを有している。そして、短壁部１２１ａ及び１２１ｃは、長壁部１２１ｂ及び１２１ｄの端部同士を接続する。電極体２０の正極活物質層非形成部２１は、その積層方向Ａで２つに分けられて束ねられ、２つの束部分２１ａ及び２１ｂを形成する。容器１０内に電極体２０が収容された状態において、第一束部分２１ａは、第二容器部１２の長壁部１２１ｂの内側表面１２１ｂａと、その積層方向Ａで対面する。さらに、第二束部分２１ｂは、第二容器部１２の長壁部１２１ｄの内側表面１２１ｄａと、その積層方向Ａで対面する。なお、内側表面１２１ｂａ及び１２１ｄａは、筒状の周囲壁１２１の内側に向いた面である。短壁部１２１ａ、１２１ｂ、１２１ｃ及び１２１ｄはそれぞれ、第三壁部、第一壁部、第四壁部及び第二壁部の一例である。
【００３０】
第一束部分２１ａは、内側表面１２１ｂａ上で長壁部１２１ｂに直接的に接合されて固定され、第二束部分２１ｂは、内側表面１２１ｄａ上で長壁部１２１ｄに直接的に接合されて固定される。本実施の形態では、超音波溶接、抵抗溶接又はレーザー溶接等の溶接による接合方法で、第一束部分２１ａ及び第二束部分２１ｂがそれぞれ、複数の位置で接合される。これにより、複数の接合部４０が形成される。接合部４０は、溶接により溶けた複数の材料が一体化している部分である。上述のような第一束部分２１ａ及び第二束部分２１ｂは、周囲壁１２１に外側から囲まれた状態で、周囲壁１２１の対向する長壁部１２１ｂ及び１２１ｄと物理的に接続されると共に電気的に接続される。
【００３１】
なお、図３に示す例では、第一束部分２１ａ及び第二束部分２１ｂそれぞれに、２つの接合部４０が形成されているが、接合部４０の数量はこれに限定されない。第一束部分２１ａ及び第二束部分２１ｂにおいて、接合部４０は、長壁部１２１ｂ及び１２１ｄの長手方向に１つであってもよく、３つ以上であってもよい。さらに、接合部４０は、長壁部１２１ｂ及び１２１ｄの長手方向に垂直である短手方向にも、複数段に配置されてもよい。また、接合部４０は、長壁部１２１ｂ及び１２１ｄの長手方向及び／又は短手方向に延びるように設けられてもよい。また、第一束部分２１ａ及び第二束部分２１ｂの接合方法は、溶接以外の接合方法であってもよく、例えば、かしめ接合、ボルトなどを使用した締結接合等の機械的な接合方法であってもよい。なお、かしめ接合は、第一束部分２１ａ又は第二束部分２１ｂと長壁部１２１ｂ又は１２１ｄとを貫通するリベットの端部を塑性変形することによる接合であってもよく、第一束部分２１ａ又は第二束部分２１ｂと長壁部１２１ｂ又は１２１ｄとを一緒に塑性変形させて一体化することによる接合であってもよい。
【００３２】
上述のように、正極活物質層非形成部２１は２つの束部分２１ａ及び２１ｂに集束され、さらに、束部分２１ａ及び２１ｂが長壁部１２１ｂ及び１２１ｄに固定される。これにより、正極活物質層非形成部２１が１つの壁部に固定される場合よりも、正極基材に作用する引張力が低く抑えられ、正極基材及び接合部４０の損傷リスクが低減する。さらに、正極活物質層非形成部２１が束部分２１ａ及び２１ｂに分けられることによって、接合される正極基材の枚数が少なくなるため、接合も容易になる。
【００３３】
図４は、実施の形態に係る蓄電素子１００を備える蓄電装置１０１を概略的に示す斜視図である。図４に示すように、複数の蓄電素子１００は、蓄電装置１０１を構成し得る。図４では、蓄電装置１０１内に収容されている蓄電素子１００を実線で示し、蓄電装置１０１の外装の外形を一点鎖線で示している。
【００３４】
蓄電装置１０１は、蓄電モジュールとも呼ばれる。蓄電装置１０１は、複数の蓄電素子１００を備える装置である。蓄電装置１０１は、並べて配置された複数の蓄電ユニット１０２、具体的には、図４では４つの蓄電ユニット１０２を備える。なお、図４では、蓄電ユニット１０２の外装の外形は、破線で示されている。各蓄電ユニット１０２は、例えば、図４に示すように一列に配列され且つ互いに電気的に接続された複数の蓄電素子１００によって、構成される。なお、図４では、蓄電ユニット１０２は、４つの蓄電素子１００を備える。各蓄電ユニット１０２において、複数の蓄電素子１００は、互いに直列に接続されても並列に接続されてもよい。各蓄電ユニット１０２では、複数の蓄電素子１００は、それぞれが正極端子及び負極端子を構成する第二容器部１２及び第三容器部１３の周囲壁１２１及び１３１を互いに接触させて並べられることによって、互いに電気的に接続される。これにより、蓄電素子１００の電極端子間を接続するバスバー等の電気的な接続部材が不要である。また、複数の蓄電ユニット１０２は、互いに直列に接続されても並列に接続されてもよい。
【００３５】
上述の構成によって、複数の蓄電素子１００が、１つの蓄電ユニット１０２として使用され、蓄電ユニット１０２の数量及び配列が適宜選択されることによって、蓄電装置１０１に必要な電気容量、蓄電装置１０１に設定される種々の形状及び寸法等への対応が可能である。複数の蓄電素子１００を備え且つ高出力である蓄電装置１０１は、電気自動車（ＥＶ）、ハイブリッド自動車（ＨＥＶ）、プラグインハイブリッド自動車（ＰＨＥＶ）、無人搬送車（ＡＧＶ）等の車両用電源として車両に搭載することもできる。
【００３６】
上述したように、本実施の形態に係る蓄電素子１００は、積層された極板を含む電極体２０と、電極体２０の端部２０ａの周りを囲み且つ導電性を有する周囲壁１２１を含む容器１０とを備える。電極体２０の端部２０ａは、極板の縁部分を束ねて形成された少なくとも２つの束部分２１ａ及び２１ｂを含む。周囲壁１２１は、第一壁部としての長壁部１２１ｂと、束部分２１ａ及び２１ｂにおける極板の積層方向Ａで長壁部１２１ｂと対向する第二壁部としての長壁部１２１ｄとを含む。長壁部１２１ｂ及び１２１ｄの内側表面１２１ｂａ及び１２１ｄａにはそれぞれ、少なくとも１つの束部分２１ａ又は２１ｂが接続される。
【００３７】
上述の構成において、容器１０の導電性を有する周囲壁１２１の長壁部１２１ｂ及び１２１ｄは、内側にある電極体２０の束部分２１ａ及び２１ｂと接続される。これにより、周囲壁１２１は、蓄電素子１００の容器と電極端子とを兼ねることができる。よって、蓄電素子１００の端子構造が簡易になる。さらに、端部２０ａの周りを囲む長壁部１２１ｂ及び１２１ｄと束部分２１ａ及び２１ｂとの接続も容易である。この結果、容器１０内の空間に占める電極体２０の占有率を増加することも可能になる。このことは、蓄電素子１００の小型化、並びに、エネルギー密度及び蓄電容量の向上をもたらす。また、長壁部１２１ｂ及び１２１ｄにそれぞれ、束部分２１ａ及び２１ｂが接続されるため、接続に起因して生じる極板への引張力が低減する。なお、容器１０の周囲壁１３１と電極体２０の他方の端部２０ｂとの接続構成も、周囲壁１２１及び端部２０ａと同様の構成を有し同様の効果を奏し得る。
【００３８】
実施の形態に係る蓄電素子１００において、電極体２０の端部２０ａの束部分２１ａ又は２１ｂは、溶接又は機械的接合によって、容器１０の周囲壁１２１の長壁部１２１ｂ及び１２１ｄの一方と直接的に接合される。上述の構成において、束部分２１ａ及び２１ｂと長壁部１２１ｂ及び１２１ｄとの接続構造が簡易になり、接続が容易になる。なお、周囲壁１３１と電極体２０の端部２０ｂとの接続構成も、周囲壁１２１及び端部２０ａと同様の構成を有し同様の効果を奏し得る。
【００３９】
実施の形態に係る蓄電素子１００において、電極体２０の極板は、基材と、基材上に形成された活物質層とを含み、電極体２０の端部２０ａの束部分２１ａ及び２１ｂは、正極の極板における基材の直線状に延在する縁に沿った活物質層の非形成部分である正極活物質層非形成部２１を束ねることによって、形成される。上述の構成において、正極活物質層非形成部２１の束部分２１ａ及び２１ｂは、正極板における基材の縁を構成する。これにより、基材の縁と容器１０の長壁部１２１ｂ及び１２１ｄとが接合される。よって、接合が容易になる。また、長壁部１２１ｂ及び１２１ｄと正極活物質層非形成部２１との接触面積を多く確保することができる。なお、電極体２０の端部２０ｂの負極の極板の負極活物質層非形成部２２も、正極活物質層非形成部２１と同様の構成を有し同様の効果を奏し得る。
【００４０】
実施の形態に係る蓄電素子１００において、容器１０の周囲壁１２１は、長壁部１２１ｂ及び１２１ｄを接続する第三壁部としての短壁部１２１ａ及び第四壁部としての短壁部１２１ｃを含む。長壁部１２１ｂ及び１２１ｄにおける周囲壁１２１の外周方向の寸法は、短壁部１２１ａ及び１２１ｃにおける周囲壁１２１の外周方向の寸法よりも大きい。上述の構成において、電極体２０の端部２０ａの束部分２１ａ及び２１ｂは、長壁部１２１ｂ及び１２１ｄと接続されるため、周囲壁１２１との接触面積を多くとることができる。なお、容器１０の周囲壁１３１及び電極体２０の端部２０ｂも、周囲壁１２１及び電極体２０の端部２０ａと同様の構成を有し同様の効果を奏し得る。
【００４１】
実施の形態に係る蓄電素子１００において、容器１０は、周囲壁１２１及び１３１それぞれの端部を閉じる端壁１２２及び１３２を有する。上述の構成によって、容器１０では、電極体２０の端部２０ａ及び２０ｂと周囲壁１２１及び１３１との接続部分に対する保護が向上する。さらに、容器１０は、端壁１２２及び１３２においても電極体２０の端部２０ａ及び２０ｂと接触し得る。これにより、容器１０、具体的には、第二容器部１２及び第三容器部１３と正極活物質層非形成部２１及び負極活物質層非形成部２２との接触面積が増加する。
【００４２】
実施の形態に係る蓄電素子１００において、容器１０の周囲壁１２１及び１３１はそれぞれ、電極体２０を部分的に覆う。上述の構成において、周囲壁１２１及び１３１はいずれも、容器１０の一部を形成しつつ、蓄電素子１００の正極又は負極の電極端子を構成することができる。よって、蓄電素子１００における正極及び負極の両方の電極端子の構成の簡易化が可能になる。
【００４３】
実施の形態に係る蓄電素子１００において、容器１０は、第一周囲壁としての周囲壁１２１と第二周囲壁としての周囲壁１３１とを含む。さらに、電極体２０は、極板として、互いに積層された正極板及び負極板を含む。電極体２０は、第一端部としての端部２０ａに、正極板の束部分２１ａ及び２１ｂを含み、端部２０ａと反対側の第二端部としての端部２０ｂに、負極板の束部分を含む。周囲壁１２１は、端部２０ａに配置され且つ正極板の束部分２１ａ及び２１ｂと接続され、周囲壁１３１は、端部２０ｂに配置され且つ負極板の束部分と接続される。
【００４４】
上述の構成において、一方の周囲壁１２１が正極電極端子を構成し、他方の周囲壁１３１が負極電極端子を構成する。これにより、正極電極端子及び負極電極端子の両方での端子構造の簡易化が可能である。２つの周囲壁１２１及び１３１は、電極体２０の対向する端部２０ａ及び２０ｂに配置され、互いとの干渉を容易に回避できる。よって、２つの周囲壁１２１及び１３１を配置するための構成が簡易である。
【００４５】
また、本実施の形態に係る蓄電装置１０１は、複数の蓄電素子１００を含み、複数の蓄電素子１００が、容器１０の周囲壁１２１及び１３１を互いに接触させて配置される。上述の構成において、複数の蓄電素子１００は、それぞれの容器１０を互いに接触させることによって、互いに電気的に接続される。よって、複数の蓄電素子１００を電気的に接続するための追加の構造が不要である。従って、蓄電装置１０１の構造の簡易化が可能である。
【００４６】
［変形例１］
以下、図５及び図６を参照して、実施の形態の変形例１に係る蓄電素子２００を説明する。なお、図５は、実施の形態の変形例１に係る蓄電素子２００を図２と同様に示す分解斜視図である。図６は、変形例１に係る蓄電素子２００を図３と同様に示す断面図である。変形例１に係る蓄電素子２００は、実施の形態に係る蓄電素子１００の電極体２０と異なる構成の電極体２２０を備えている点で、実施の形態に係る蓄電素子１００と異なる。
【００４７】
蓄電素子２００の電極体２２０は、巻回型電極体と呼ばれる。電極体２２０は、シート状の正極板と、シート状の負極板と、シート状のセパレータとが巻回軸Ｂを中心に一緒に巻回されることによって、形成されている。電極体２２０は、巻回軸Ｂに関して略対称な構成を有している。本変形例では、電極体２２０は、巻回軸Ｂに垂直な断面が長円形状である扁平な外形を有している。そして、電極体２２０は、巻回軸Ｂの周りに、巻回軸Ｂに垂直な方向で対向する２つの湾曲部２２０ｃ及び２２０ｅと、巻回軸Ｂに垂直な方向で対向する２つの平坦部２２０ｄ及び２２０ｆとを有している。しかしながら、電極体２２０の断面形状は、長円形以外であってもよく、円形、楕円形、矩形、又はその他の多角形であってもよい。
【００４８】
電極体２２０の巻回軸Ｂ方向の端部２２０ａ及び２２０ｂそれぞれに、正極活物質層非形成部２２１及び負極活物質層非形成部２２２が、形成されている。正極活物質層非形成部２２１及び負極活物質層非形成部２２２もそれぞれ、電極体２２０の巻回軸Ｂ周りの方向に沿って露出した正極基材及び負極基材の縁部分によって形成されている。正極活物質層非形成部２２１は、平坦部２２０ｄ及び２２０ｆでそれぞれ、平坦部２２０ｄ及び２２０ｆでの正極板及び負極板の積層方向Ａに束ねられ、２つの束部分２２１ａ及び２２１ｂを形成する。同様に、負極活物質層非形成部２２２も、平坦部２２０ｄ及び２２０ｆでそれぞれ、積層方向Ａに束ねられ、２つの束部分を形成する。
【００４９】
電極体２２０は、平坦部２２０ｄ及び２２０ｆがそれぞれ長壁部１１ｄ及び１１ｆに向きあうように、容器１０の第一容器部１１内に収容される。そして、第一容器部１１から突出する正極活物質層非形成部２２１及び負極活物質層非形成部２２２がそれぞれ、第二容器部１２及び第三容器部１３によって覆われる。第二容器部１２の周囲壁１２１及び第三容器部１３の周囲壁１３１はそれぞれ、巻回軸Ｂ軸方向視で、正極活物質層非形成部２２１及び負極活物質層非形成部２２２の外周を囲む。
【００５０】
正極活物質層非形成部２２１の束部分２２１ａ及び２２１ｂはそれぞれ、第二容器部１２の周囲壁１２１の長壁部１２１ｂ及び１２１ｄに、内側表面１２１ｂａ及び１２１ｄａ上で、溶接接合、機械的接合等の接合方法で接合される。本変形例では、束部分２２１ａ及び２２１ｂそれぞれに、２つの接合部４０が形成されるが、接合部４０の数量はこれに限定されない。負極活物質層非形成部２２２の平坦部２２０ｄ及び２２０ｆの束部分はそれぞれ、第三容器部１３の周囲壁１３１の対向する２つの長壁部と、溶接接合、機械的接合等の接合方法で接合される。これにより、正極活物質層非形成部２２１及び負極活物質層非形成部２２２がそれぞれ、周囲壁１２１及び１３１に外側から囲まれた状態で、周囲壁１２１及び１３１と物理的に接続されると共に電気的に接続される。なお、活物質層非形成部（正極活物質層非形成部２２１及び負極活物質層非形成部２２２の少なくとも一方）の湾曲部２２０ｃ及び２２０ｅに対応する部分は、非連続になっていてもよい。すなわち、例えば、正極板、負極板、及びセパレータを巻回して電極体２２０を形成したのち、活物質層非形成部の湾曲部を極板の積層方向に切断することで、活物質層非形成部を湾曲部において非連続にすることができる。活物質層非形成部を周囲壁１２１又は１３１に接合した場合にも、湾曲部にかかる張力を抑制することができるため、電極体２２０における皺の発生を抑制できる。
【００５１】
正極活物質層非形成部２２１及び負極活物質層非形成部２２２それぞれの２つの束部分が、周囲壁１２１及び１３１の互いに離れた長壁部に接合されるため、２つの束部分の間に、空洞が形成される。これにより、蓄電素子２００の製造時における容器１０内への電解質の注入が容易となり、注入された電解質も容器１０内の全体にいきわたりやすい。また、蓄電素子２００に異常が発生し、容器１０内でガスが発生した場合、ガスに空洞を通過させて容器１０の外部へ排出するように構成することもできる。これにより、ガスのスムーズな排出が可能になる。
【００５２】
なお、正極活物質層非形成部２２１及び負極活物質層非形成部２２２において、２つの束部分の一方のみが、周囲壁１２１及び１３１に接合されてもよい。この場合、巻回されている正極活物質層非形成部２２１及び負極活物質層非形成部２２２は、接合された束部分以外の部位で周囲壁１２１及び１３１と接触し得る。これにより、正極活物質層非形成部２２１及び負極活物質層非形成部２２２と周囲壁１２１及び１３１との接触面積を十分に確保することができる。
【００５３】
また、変形例１に係る蓄電素子２００のその他の構成は、実施の形態に係る蓄電素子１００と同様であるため、その他の説明を省略する。さらに、変形例１に係る蓄電素子２００は、実施の形態に係る蓄電素子１００と同様の効果を奏する。
【００５４】
なお、変形例１に係る蓄電素子２００は、極板を巻回して形成された電極体２２０と、電極体２２０の端部２２０ａの周りを囲み且つ導電性を有する周囲壁１２１を含む容器１０とを備える。端部２２０ａは、極板の縁部分を束ねて形成された少なくとも１つの束部分２２１ａ及び２２１ｂを含む。周囲壁１２１は、長壁部１２１ｂと、束部分２２１ａ及び２２１ｂでの極板の積層方向Ａにおいて長壁部１２１ｂと対向する長壁部１２１ｄとを含む。少なくとも１つの束部分２２１ａ及び２２１ｂは、長壁部１２１ｂ及び１２１ｄの内側表面１２１ｂａ及び１２１ｄａの少なくとも一方に接続される。上述の構成において、電極体２２０が極板を巻回して形成されているため、電極体２２０の端部２２０ａは、長壁部１２１ｂ及び１２１ｄの少なくとも一方と接続された少なくとも１つの束部分２２１ａ及び２２１ｂ以外の部位でも、周囲壁１２１と接触し得る。このため、束部分２２１ａ及び２２１ｂの少なくとも１つが、周囲壁１２１と接続されるだけでも、電極体２２０と周囲壁１２１との十分な導通面積の確保が可能である。なお、周囲壁１３１と電極体２２０の端部２２０ｂとの接続構成も、周囲壁１２１及び端部２２０ａと同様の構成を有し同様の効果を奏し得る。
【００５５】
［変形例２］
以下、図７及び図８を参照して、実施の形態の変形例２に係る蓄電素子３００を説明する。なお、図７は、実施の形態の変形例２に係る蓄電素子３００を図２と同様に示す分解斜視図である。図８は、変形例２に係る蓄電素子３００の断面側面図であり、第一容器部１１の長壁部１１ｄ及び１１ｆに垂直であり且つ負極端子６１を通る蓄電素子３００の断面を、負極端子６１から正極端子５１に向かう方向で見た図である。変形例２に係る蓄電素子３００は、変形例１に係る蓄電素子２００において、周囲壁１２１及び１３１を備えずに、端壁１２２に正極端子５１及び負極端子６１を備えるように構成されている。変形例２に係る蓄電素子３００では、第一容器部１１が、周囲壁を構成する。
【００５６】
蓄電素子３００は、第一容器部１１と、第一容器部１１の端部１１ａ及び１１ｂそれぞれの開口を塞ぐ端壁１２２及び１３２とを備えている。第一容器部１１並びに端壁１２２及び１３２は、蓄電素子３００の容器を形成する。蓄電素子３００は、巻回型の電極体２２０を備え、電極体２２０は、正極活物質層非形成部２２１が形成された端部２２０ａを端壁１３２と対向させる向きで、第一容器部１１内に収容される。
【００５７】
蓄電素子３００は、端壁１２２に正極端子５１及び負極端子６１を備えている。正極端子５１及び負極端子６１は、細長い矩形状の端壁１２２の長手方向に並んで配置されている。端壁１２２において、正極端子５１は、第一容器部１１の短壁部１１ｃ側の端部付近に配置され、負極端子６１は、第一容器部１１の短壁部１１ｅ側の端部付近に配置されている。正極端子５１は、端壁１２２と一体的に形成されており、端壁１２２から外方へ突出している。例えば、正極端子５１は、端壁１２２にプレス加工等の加工を施すことによって、形成される。なお、正極端子５１は、端壁１２２から外方に突出していなくてもよいし、端壁１２２と別体で形成されていてもよい。端壁１２２及び第一容器部１１は、導電性を有する材料で構成されており、正極端子５１は、第一容器部１１と電気的に接続される。
【００５８】
負極端子６１は、導電性を有する材料で構成されており、端壁１２２から電気的に絶縁された状態で、端壁１２２の外側に配置されている。負極端子６１は、端壁１２２を貫通して第一容器部１１内に延びる軸部６１ａを有している。軸部６１ａは、第一容器部１１内に設けられる集電体６４と接続される。集電体６４は、導電性を有する材料で構成されており、電極体２２０とも接続される。これにより、集電体６４は、軸部６１ａと電極体２２０とを電気的に接続する。
【００５９】
負極端子６１と端壁１２２との間には、上部絶縁部材６２が設けられ、端壁１２２と集電体６４との間には、下部絶縁部材６３が設けられる。上部絶縁部材６２及び下部絶縁部材６３は、樹脂等の電気的な絶縁性を有する材料で構成され、例えばガスケットである。上部絶縁部材６２は、負極端子６１と端壁１２２とを電気的に絶縁し、下部絶縁部材６３は、端壁１２２と集電体６４とを電気的に絶縁する。上部絶縁部材６２又は下部絶縁部材６３、本変形例では下部絶縁部材６３が、軸部６１ａ及び端壁１２２の間に介在しこれらを電気的に絶縁する。
【００６０】
軸部６１ａは、上部絶縁部材６２、端壁１２２、下部絶縁部材６３及び集電体６４を貫通して延び、その突出する先端部分が、かしめられて、かしめ突出部６１ｂを形成する。軸部６１ａの先端部分は、かしめられる際に端壁１２２へ向かう押圧力を受け、それにより、径方向外側に円形状に拡がるように塑性変形し、軸部６１ａよりも拡径したかしめ突出部６１ｂを形成する。これにより、負極端子６１及び集電体６４が、上部絶縁部材６２、端壁１２２及び下部絶縁部材６３を挟んだ状態で、接合される。負極端子６１は、集電体６４と物理的及び電気的に接続され、端壁１２２から電気的に絶縁される。負極端子６１及び集電体６４の接合方法は、かしめに限定されず、溶接、ボルト締結等のいかなる接合方法であってもよい。
【００６１】
集電体６４は、端壁１３２に向かう方向に突出する電極体接合部６４ａを一体的に備えている。電極体接合部６４ａは、例えば、直方体状の外形を有している。電極体接合部６４ａは、第一容器部１１の長壁部１１ｄ及び１１ｆそれぞれと対向し且つ互いから離れて位置する２つの反対向きの平坦面を有している。電極体接合部６４ａは、電極体２２０の負極活物質層非形成部２２２と接合される。具体的には、電極体接合部６４ａは、負極活物質層非形成部２２２において平坦部２２０ｄ及び２２０ｆでそれぞれ積層方向Ａに束ねられて形成される２つの束部分の間に挿入される。さらに、負極活物質層非形成部２２２の２つの束部分はそれぞれ、電極体接合部６４ａの２つの反対向きの平坦面上で、超音波溶接、抵抗溶接、レーザー溶接等の溶接によって、電極体接合部６４ａと接合される。このとき、各平坦面に接合部４０が形成される。これにより、電極体２２０の負極板は、負極活物質層非形成部２２２及び集電体６４を介して、負極端子６１と電気的に接続される。電極体接合部６４ａと負極活物質層非形成部２２２との接合方法は、溶接に限定されず、かしめ等のいかなる接合方法であってもよい。なお、負極活物質層非形成部２２２の２つの束部分は、互いから離された状態で電極体接合部６４ａと接合されているため、接合に起因して生じる負極板への引張力が低減する。
【００６２】
電極体２２０の正極活物質層非形成部２２１は、変形例１に係る蓄電素子２００における正極活物質層非形成部２２１と第二容器部１２の周囲壁１２１との接合方法と同様にして、第一容器部１１の長壁部１１ｄ及び１１ｆと接合される。具体的には、正極活物質層非形成部２２１において平坦部２２０ｄ及び２２０ｆでそれぞれ積層方向Ａに束ねられて形成される２つの束部分がそれぞれ、長壁部１１ｄ及び１１ｆに、その内側表面上で、溶接接合、機械的接合等の接合方法で接合される。このとき、長壁部１１ｄ及び１１ｆそれぞれに接合部４０が形成される。よって、電極体２２０の正極板は、正極活物質層非形成部２２１を介して第一容器部１１と電気的に接続され、それにより、端壁１２２の正極端子５１と電気的に接続される。なお、端壁１３２が、第一容器部１１と別個の部材であり、分離可能であるため、正極活物質層非形成部２２１の接合は、第一容器部１１の端部１１ｂの開口から実施可能であり、容易である。本変形例では、正極活物質層非形成部２２１は、端壁１３２に接触しない。このため、正極活物質層非形成部２２１の接合後の第一容器部１１への端壁１３２の接合は、容易である。しかしながら、正極活物質層非形成部２２１は、端壁１３２に接触してもよい。
【００６３】
また、変形例２に係る蓄電素子３００のその他の構成は、変形例１に係る蓄電素子２００と同様であるため、その他の説明を省略する。さらに、変形例２に係る蓄電素子３００は、変形例１に係る蓄電素子２００と同様の効果を奏する。なお、変形例２に係る蓄電素子３００において、電極体２２０は、巻回型電極体であったが、積層型電極体であってもよい。変形例２に係る蓄電素子３００において、正極端子５１は、端壁１２２に配置されていたが、これに限定されず、端壁１３２又は第一容器部１１等の容器のいかなる場所に配置されてもよい。変形例２に係る蓄電素子３００において、正極端子５１が、端壁１２２及び第一容器部１１による容器の少なくとも一部を介して電極体２２０と電気的に接続されていたが、負極端子６１が、容器の少なくとも一部を介して電極体２２０と電気的に接続されてもよい。なお、第一容器部１１と電極体２２０とが接合される以外の部分については、第一容器部１１と電極体２２０との間に、絶縁シートが配置されていることが好ましい。絶縁シートが配置されていることにより、第一容器部１１と接合される極板とは逆の極性の極板が、第一容器部１１と接触して短絡してしまうことを抑制できる。
【００６４】
［その他の変形例］
以上、本開示の実施の形態及び変形例に係る蓄電素子及び蓄電装置について説明したが、本開示は、上記実施の形態及び変形例に限定されるものではない。つまり、今回開示された実施の形態及び変形例は全ての点で例示であって制限的なものではないと考えられるべきである。本発明の範囲は上述した説明ではなくて特許請求の範囲によって示され、特許請求の範囲と均等の意味及び範囲内での全ての変更が含まれることが意図される。
【００６５】
上記実施の形態及び変形例に係る蓄電素子では、容器の長壁部に電極体２０及び２２０の活物質層非形成部が接合されていたが、例えば、容器の短壁部に活物質層非形成部が接合されていてもよいし、長壁部と短壁部との両方に活物質層非形成部が接合されていてもよい。
【００６６】
実施の形態及び変形例１に係る蓄電素子１００及び２００では、容器１０の第二容器部１２及び第三容器部１３はそれぞれ、全体が導電性を有する材料で構成されていたが、これに限定されず、一部が導電性を有さない材料で構成されてもよい。例えば、第二容器部１２の場合、端壁１２２の全体又は一部が、導電性を有さない材料で構成されてもよく、周囲壁１２１の一部が、導電性を有さない材料で構成されてもよい。導電性を有さない周囲壁の一部は、長壁部１２１ｂ又は１２１ｄの全体若しくは一部であってもよく、短壁部１２１ａ又は１２１ｃの全体若しくは一部であってもよい。導電性を有さない周囲壁の一部は、長壁部１２１ｂ及び１２１ｄ並びに短壁部１２１ａ及び１２１ｃの複数の壁部にわたっていてもよい。第三容器部１３についても、第二容器部１２と同様である。同様に、変形例２に係る蓄電素子３００の第一容器部１１及び端壁１２２も、全体が導電性を有する材料で構成されてもよく、一部が導電性を有する材料で構成されてもよい。第一容器部１１及び端壁１２２が、電極体と正極端子又は負極端子とを電気的に接続できればよい。
【００６７】
実施の形態及び変形例に係る蓄電素子では、電極体２０及び２２０は、帯状の正極活物質層非形成部２１及び２２１並びに負極活物質層非形成部２２及び２２２を備える構成であったが、これに限定されない。電極体２０及び２２０は、正極板及び負極板それぞれの縁から突出する突出片である正極タブ及び負極タブを有し、正極タブの束及び負極タブの束がそれぞれ、正極活物質層非形成部及び負極活物質層非形成部を構成し、容器１０の周囲壁等と接続されてもよい。正極タブの束及び負極タブの束それぞれの数量も、２つに限定されず３つ以上であってもよい。この場合、例えば、実施の形態及び変形例１において、容器１０の周囲壁１２１の１つの長壁部には、１つ以上の正極タブの束が接続されてよく、周囲壁１３１の１つの長壁部には、１つ以上の負極タブの束が接続されてもよい。巻回型の電極体の場合、正極タブの束及び負極タブの束は、電極体の湾曲部分に形成されてもよく、さらに、湾曲部分の正極タブの束及び負極タブの束は、周囲壁１２１及び１３１の短壁部と接続されてもよい。変形例２の場合についても同様である。
【００６８】
実施の形態及び変形例１に係る蓄電素子１００及び２００は、容器１０に第二容器部１２及び第三容器部１３を備えていたが、これに限定されず、第二容器部１２及び第三容器部１３の一方のみを備えてもよい。この場合、第一容器部１１が電極体と電気的に接続され、電極端子を構成してもよい。
実施の形態及び変形例に係る蓄電素子では、電極体は、積層型電極体又は巻回型電極体であったが、これに限定されない。例えば、電極体は、重ねられた一組又は二組以上の正極板、負極板及びセパレータを複数回ジクサグに折り曲げて形成されるＺ型の電極体であってもよい。
実施の形態及び変形例に係る蓄電素子は、容器内に１つの電極体２０及び２２０を備えていたが、２つ以上の電極体を備えてもよい。
【００６９】
実施の形態に係る蓄電装置１０１では、複数の蓄電素子１００は、容器１０の周囲壁１２１及び１３１を互いに接触させて配置され、それにより互いに電気的に接続されていたが、これに限定されない。複数の蓄電素子１００は、第二容器部１２の端壁１２２又は第三容器部１３の端壁１３２を、他の蓄電素子１００の周囲壁１２１、周囲壁１３１、端壁１２２又は端壁１３２と接触させることによって、他の蓄電素子１００と電気的に接続されてもよい。
【００７０】
また、実施の形態及び変形例に含まれる構成要素を任意に組み合わせて構築される形態も、本開示の範囲内に含まれる。
【産業上の利用可能性】
【００７１】
本開示は、リチウムイオン二次電池などの蓄電素子等に適用できる。
【符号の説明】
【００７２】
１０  容器
１１  第一容器部（周囲壁）
２０，２２０  電極体
２０ａ，２２０ａ  端部（第一端部）
２０ｂ，２２０ｂ  端部（第二端部）
２１，２２１  正極活物質層非形成部
２１ａ，２１ｂ，２２１ａ，２２１ｂ  束部分
２２，２２２  負極活物質層非形成部
１００，２００，３００  蓄電素子
１０１  蓄電装置
１２１，１３１  周囲壁
１２１ａ  短壁部（第三壁部）
１２１ｂ  長壁部（第一壁部）
１２１ｂａ，１２１ｄａ  内側表面
１２１ｃ  短壁部（第四壁部）
１２１ｄ  長壁部（第二壁部）
１２２，１３２  端壁
【図１】
2018081772.tif 000003
【図２】
2018081772.tif 000004
【図３】
2018081772.tif 000005
【図４】
2018081772.tif 000006
【図５】
2018081772.tif 000007
【図６】
2018081772.tif 000008
【図７】
2018081772.tif 000009
【図８】
2018081772.tif 000010